(57)【特許請求の範囲】
【請求項１】
基板に立設された放熱板とスイッチパネルのスイッチの状態を表すＬＥＤが備えられたＬＥＤホルダーとを備えた電子制御手段と、前記電子制御手段で制御される外部機器を連結しているリード線を挟持可能な間隙部が前記放熱板と前記ＬＥＤホルダーの間に設けられ、前記リード線が前記間隙部に挟持されて固定されていることを特徴とする人体局部洗浄装置。
【請求項２】
前記電子制御手段の内部に、前記リード線を着脱可能に把持できる、少なくとも一つの把持手段が設けられていることを特徴とする請求項１記載の人体局部洗浄装置。
【請求項３】
前記放熱板には、前記リード線の乗り上げを防止する切欠部が設けられていることを特徴とする請求項１記載の人体局部洗浄装置。
【発明の詳細な説明】
【０００１】
【発明の属する技術分野】
本発明は人体局部洗浄装置に関する。
【０００２】
【従来の技術】
人体局部洗浄装置は温水シャワーを人間の局部に当てて洗浄する装置であり、温水タンクやシャワー用のノズルなどの各種機器を制御する制御手段が設けられている。この制御手段と各種機器はリード線で結ばれている。この制御手段の基板からボードインコネクタで出るリード線は、ベースカバーや他部品組み付け時にベースカバーとベースプレートの間や基板ケースにかみ込むことがあった。
【０００３】
かみ込みが生ずるとリード線の信頼性が低下するおそれがある。またベースカバーとベースプレートの隙間が生じ、温水シャワーなどの水が入り、各種機器を故障させる恐れがあった。このため従来、結束バンドなどを用いてリード線を束ねたり、基板ケースに結束バンドを使用して固定していた。
【０００４】
【発明が解決しようとする課題】
しかしながら、従来の方法ではコードクランプなどの部品が必要であり、かつ組付工数がかかるので、コスト高になる問題がある。またリード線をクランプするために基板端から外部に出るリード線長さが安定しない問題点がある。このリード線長さを図面の指定長さに合わせ込もうとすると、工数がかかり、コスト高になる問題がある。
【０００５】
本発明は上記課題を解決したもので、基板端からのリード線長さが安定でき、部品点数が少ない低コストの人体局部洗浄装置を提供する。
【０００６】
【課題を解決するための手段】
上記技術的課題を解決するために、本発明の請求項１において講じた技術的手段（以下、第１の技術的手段と称する。）は、基板に立設された放熱板とスイッチパネルのスイッチの状態を表すＬＥＤが備えられたＬＥＤホルダーとを備えた電子制御手段と、前記電子制御手段で制御される外部機器を連結しているリード線を挟持可能な間隙部が前記放熱板と前記ＬＥＤホルダーの間に設けられ、前記リード線が前記間隙部に挟持されて固定されていることを特徴とする人体局部洗浄装置である。
【０００７】
上記第１の技術的手段による効果は、以下のようである。
【０００８】
すなわち、リード線が間隙部に挟持されて固定され、基板端からのリード線長さを図面の指定長さに合わせ込むことが簡単にできるので、基板端からのリード線長さを安定することができる。このため、ベースカバーにリード線が挟み込まれて、ベースカバー中の各種機器に水がかかり、この各種機器が故障するおそれをなくすことができる。またリード線と各種機器を接続する工数が大幅に低減でき低コスト化する。さらにコードクランプなどの部品が必要でないので、低コスト化できる。
【０００９】
上記技術的課題を解決するために、本発明の請求項２において講じた技術的手段（以下、第２の技術的手段と称する。）は、前記電子制御手段の内部に、前記リード線を着脱可能に把持できる、少なくとも一つの把持手段が設けられていることを特徴とする請求項１記載の人体局部洗浄装置である。
【００１０】
上記第２の技術的手段による効果は、以下のようである。
【００１１】
すなわち、把持手段によりリード線を把持しているので、間隙部以外の部分にリード線がふらついたり、ばらばらになるのを防止できる。
【００１２】
上記技術的課題を解決するために、本発明の請求項３において講じた技術的手段（以下、第３の技術的手段と称する。）は、前記放熱板には、前記リード線の乗り上げを防止する切欠部が設けられていることを特徴とする請求項１記載の人体局部洗浄装置である。
【００１３】
上記第３の技術的手段による効果は、以下のようである。
【００１４】
すなわち、リード線は、間隙部を形成する放熱板に設けられた切欠部を通して基板端に導くことができるので、リード線が該部品や基板に設けられた他の部品に乗り上げることを防止できる。
【００１５】
【発明の実施の形態】
以下、本発明の実施例について、図面に基づいて説明する。
【００１６】
図１は、本発明の実施例の人体局部洗浄装置の外観斜視説明図である。人体局部洗浄装置は、図示しない便器と本体１で構成され、前記便座の上方に本体１が配設されている。前記本体１は、便座２、便蓋３、ベースプレート４、ベースカバー５、温水タンク６、本体スイッチパネル７、ノズルユニット８、脱臭ファン９および電子制御手段である電子制御装置（以後、ＥＣＵと称する。）１０などから構成されている。
【００１７】
便座２の上方に便蓋３が、後端部が回動可能に配設されている。本体１の側部に温水タンク６、ＥＣＵ１０が配置されている。本体１の側部上面には本体スイッチパネル７が配置されている。ＥＣＵ１０で制御される外部機器は、本体スイッチパネル７により操作できるように構成されている。この本体スイッチパネル７には、そのためのスイッチやダイヤルが配設されている。
【００１８】
本実施例では、ＥＣＵ１０で制御される外部機器は、図示しない温水ヒータ、ノズルユニット８、脱臭ファン９である。温水ヒータは温水タンク６に付属している。この温水タンク６の下部には、給水源と連結するための給水管路１１が配設されている。ノズルユニット８は、温水を人体の局部に噴射して洗浄するための機器である。脱臭ファン９は、臭気を含んだ空気を吸引して脱臭器に送る機器である。
【００１９】
図２は本実施例のＥＣＵ１０の部分上面図、図３は図２のＡ部の斜視説明図である。ＥＣＵ１０は、外部機器を制御する部品などが基板１２に配設されて構成されている。この基板１２に放熱板１３が立設されている。この放熱板１３には切欠部４１が設けられている。また本体スイッチパネル７のスイッチの状態を表示するＬＥＤが備えられたＬＥＤホルダー１４が配設されている。
【００２０】
ＥＣＵ１０には、ＥＣＵ１０と外部機器を連結しているリード線３１〜３４が設けられている。リード線３１の一方の端部には、脱臭ファン９側のコネクタと連結するコネクタ３５が付属している。リード線３２の一方の端部には、温水ヒータ側のコネクタと連結するコネクタ３６が付属している。リード線３３の一方の端部には、温水ヒータの電源側のコネクタと連結するコネクタ３７が付属している。リード線３１の一方の端部には、ノズルユニット８側のコネクタと連結するコネクタ３８が付属している。
【００２１】
リード線３１〜３４の他方の端部は、それぞれのボードインコネクタ３９と連結されている。ＥＣＵ１０の内部のＬＥＤホルダー１４の側面部にコードフック２１、２２が設けられている。またＥＣＵ１０のリード線出口にコードフック２３が設けられている。リード線３１〜３４は、コードフック２１〜２３にかけられて束ねられている。
【００２２】
リード線３１〜３４は以下のように組み付けられる。ボードインコネクタから出たリード線３３、３４を束ねてコードフック２１にかける。このリード線３３、３４とボードインコネクタ３９から出たリード線３１、３２を束ねてコードフック２２にかける。
【００２３】
放熱板１３とＬＥＤホルダー１４の間の間隙部４０に、束ねられたリード線３１〜３４を通す（図３の矢印のルート）ことにより、リード線３１〜３４がばらばらにならないように間隙部４０に挟持され固定される。次にリード線３１〜３４を、放熱板１３の切欠部４１に通し、コードフック２３にかけて組付が完成する。
【００２４】
リード線３１〜３４が間隙部４０に挟持され固定されているため、基板１２の端部からのリード線長さを安定することができる。このため、ベースカバー５にリード線３１〜３４が挟み込まれて、ベースカバー５とベースプレート４の間に隙間ができることを防止できる。もし、隙間ができると、ベースカバー５中のノズルユニット８、脱臭ファン９などに水がかかり、これらの機器が故障するおそれがあるが、本発明によりこの問題が解決できる。
【００２５】
また基板１２の端部からのリード線長さが安定しているので、リード線３１〜３４とノズルユニット８、脱臭ファン９および温水ヒータを接続する工数が大幅に低減でき低コスト化する。さらにコードクランプなどの部品が必要でないので、低コスト化できる。
【００２６】
間隙部４０を形成する部品の一方である放熱板１３に切欠部４１が設けられているので、切欠部４１を通してリード線３１〜３４をコードクランプ２３に導くことができ、放熱板１３やコネクタ４２などへのリード線３１〜３４の乗り上げを防止できる。
【００２７】
【発明の効果】
以上のように、本発明は、電子制御手段と、この電子制御手段で制御される外部機器を連結しているリード線を挟持可能な間隙部が、前記電子制御手段を構成する部品間に設けられ、前記リード線が前記間隙部に挟持されて固定されていることを特徴とする人体局部洗浄装置であるので、基板端からのリード線長さが安定でき、部品点数が少ない低コストの人体局部洗浄装置ができる。
【図面の簡単な説明】
【図１】本発明の実施例の人体局部洗浄装置の外観斜視説明図
【図２】本実施例のＥＣＵ１０の部分上面図
【図３】本実施例のＥＣＵ１０のＡ部斜視説明図
【符号の説明】
８…ノズルユニット（外部機器）
９…脱臭ファン（外部機器）
１０…ＥＣＵ（電子制御手段）
１２…基板
１３…放熱板（部品）
１４…ＬＥＤホルダー（部品）
３１〜３４…リード線
４０…間隙部
４１…切欠部
【図１】
0004332950.tif 000002
【図２】
0004332950.tif 000003
【図３】
0004332950.tif 000004